(57)【要約】【課題】物品を安定的に支持できる程度の剛性を有しつつも衝撃、振動等の各種荷重を吸収しやすい、しかも構造簡単で安価に製作できる物品支持脚を提供する。【解決手段】支持対象物品Ｗに螺合させる雄ねじ棒部分１１、回し具係合部１２及び下方突出軸部１３をこの順に一体的に形成したボルト１と、下方突出軸部１３に嵌合され、スラストベアリング２を介して回し具係合部１２を支持する上側台部材３と、下方突出軸部１３からの台部材３の脱落を防止する抜け止めリング４と、台部材３の下方に配置された下側台部材５と、上下の台部材３、５間に接続されたクッション部材６とを有し、クッション部材６は、弾性材料で形成され、液体収容室６０を内蔵した主部分６１及びそれに収容されたオイル６２とを含んでいる物品支持脚。【選択図】  図１
2004156714.tif 000002
【特許請求の範囲】
【請求項１】
支持対象物品に螺合させる雄ねじ棒部分、フランジ部及び下方突出軸部をこの順序で有するボルトと、
前記下方突出軸部に嵌合され、スラストベアリングを介して前記フランジ部を支持することで前記ボルトを回動可能に支持する台部材と、
前記台部材が前記下方突出軸部から脱落することを防止する抜け止め装置と、前記台部材に接続され、該台部材から下方へ延びるクッション部材とを有し、前記クッション部材は、弾性材料で形成されるとともに液体収容室を内蔵した主部分及び該液体収容室に収容された液体を含んでいることを特徴とする物品支持脚。
【請求項２】
前記液体収容室には液体とともに気体も収容されている請求項１記載の物品支持脚。
【請求項３】
前記クッション部材の主部分は筒形状に形成されていて上端部で前記台部材に接続され、小外径部分と大外径部分とを交互に複数段に有している請求項１又は２記載の物品支持脚。
【請求項４】
前記液体収容室は、前記クッション部の筒形状の主部分内に環状に形成されており、その断面形状は、該主部分における少なくとも一つの小外径部分に対応する主部分半径方向に横長の空間部と該横長空間部に交わり、該横長空間部に対し上下に延びる縦長空間部とを呈する形状である請求項３記載の物品支持脚。
【請求項５】
前記台部材の下方に下側台部材がさらに設けられており、前記クッション部材は該上側の台部材と該下側台部材との間に接続されている請求項１から４のいずれかに記載の物品支持脚。
【請求項６】
前記下側台部材はその下端部が弾性材料からなるクッション体で形成されている請求項５記載の物品支持脚。
【請求項７】
前記ボルトのフランジ部は回し具係合部を兼ねている請求項１から６のいずれかに記載の物品支持脚。
【発明の詳細な説明】
【０００１】
【発明の属する技術分野】
本発明は物品に取り付けて該物品を支持するための物品支持脚に関する。
【０００２】
【従来の技術】
物品に取り付けて該物品を支持するための物品支持脚は既に提案されている。従来提案されている物品支持脚は、基本的に、支持対象物品に螺合させる雄ねじ棒部分、回し具係合部及び下方突出軸部をこの順序で有するボルトと、該下方突出軸部に嵌合され、スラストベアリングを介して回し具係合部を支持することでボルト全体を回動可能に支持する台座とを有し、該台座が下方突出軸部から脱落することを防止した構造のものである。このような物品支持脚は例えば特許第３０３５４７４号公報はに開示されている。
【０００３】
【特許文献１】特許第３０３５４７４号公報
【０００４】
【発明が解決しようとする課題】
しかしながら、かかる従来タイプの物品支持脚によると、前記ボルト及びこれを支持する台座は金属等の剛性のきわめて高い材料で形成されている。従って、その支持脚を取り付けた物品を床面等上に設置するときに該物品に加わる衝撃荷重や振動荷重、或いは物品を床面等に設置した後、該床面等から伝わってくることがある衝撃や振動を吸収することができない。また、物品によっては該物品から発生することがある衝撃や振動が床面等に伝わることを抑制することができず、周囲に衝撃、振動、騒音等を与えてしまう。
【０００５】
そこで本発明は、物品を安定的に支持できる程度の剛性を有しつつも衝撃、振動等の荷重を吸収しやすい、しかも構造簡単で安価に製作できる物品支持脚を提供することを課題とする。
【０００６】
【課題を解決するための手段】
前記課題を解決するため本発明は次の物品支持脚を提供する。すなわち、
支持対象物品に螺合させる雄ねじ棒部分、フランジ部及び下方突出軸部をこの順序で有するボルトと、
前記下方突出軸部に嵌合され、スラストベアリングを介して前記フランジ部を支持することで前記ボルトを回動可能に支持する台部材と、
前記台部材が前記下方突出軸部から脱落することを防止する抜け止め装置と、前記台部材に接続され、該台部材から下方へ延びるクッション部材とを有し、前記クッション部材は、弾性材料で形成されるとともに液体収容室を内蔵した主部分及び該液体収容室に収容された液体を含んでいる物品支持脚である。
【０００７】
この物品支持脚は、そのボルトの雄ねじ棒部分が支持対象物品に予め設けられた支持脚取付け部における雌ねじ部に螺合されることで該物品に取り付けられ、物品設置床面等上に配置されて該物品を支持する。
【０００８】
この物品支持脚は前記のクッション部材を有しており、該クッション部材は支持対象物品を安定的に支持することができるとともに、加わる衝撃、振動等の荷重を弾力的に緩和することができる。
【０００９】
すなわち、該クッション部材は液体収容室を内蔵した主部分を有しており、該主部分は弾性材料で形成されており、液体収容室には非圧縮性流体である液体が収容されている。従って、該クッション部材は主部分の内部に空気等の圧縮性流体のみが収容されている場合と比べるとそれだけ剛性が高く、それだけ物品を安定的に支持することができる。しかも、主部分は弾性材料で形成されており、且つ、流動可能な液体が内蔵されているので、物品支持脚を取り付けた物品を床面等上に設置するときに該物品に加わる衝撃荷重や振動荷重、或いは物品を床面等に設置した後、該床面等から物品伝わってこようとする衝撃や振動を吸収しやすい。また、物品によっては該物品から発生する衝撃や振動が床面等に伝わることを抑制することができる。
【００１０】
液体収容室には液体を充満させてもよいが、支持対象物品等に応じて、クッション部材の剛性、衝撃や振動等の吸収の程度を調整するために液体とともに気体が収容されていてもよい。
【００１１】
前記ボルトは回し具係合部を有していることが望ましい。かかる回し具係合部を設けておくことで、雄ねじ棒部分の物品雌ねじ部への螺合の際、必要に応じ、該係合部に適当な回し具を係合させて該ボルトを回すことができる。また、床面等上に置かれたあと、該回し具係合部に適当な回し具を係合させてボルトを回すことで物品の高さ調節や水平出しを行える。前記フランジ部はかかる回し具係合部を兼ねていてもよい。
【００１２】
前記ボルトにおける回し具係合部は、ボルトを回す道具をこれに係合してボルトを回せる各種形態のものとすることができる。代表的なものの例として、スパナ、モンキーレンチ、チエーントング等を係合できる平面輪郭６角形の係合部を挙げることができる。
【００１３】
前記台部材が前記下方突出軸部から脱落することを防止する抜け止め装置としては、前記ボルトの回動を許しつつ抜け止めを行う様々のものを採用できる。例えば、下方突出軸部の上側台部材から下方へ突出した部分に、ａ）接着剤で嵌着固定されるリング部材、ｂ）同部分に螺合されるナット部材、ｃ）同部分に周設した溝に一旦広げられて配置された後、その弾性復元力で該溝に抜けないように嵌まるＣ形リング等の抜け止め用リング部材、ｄ）同部分に設けた孔に嵌められる抜け止めピン部材を挙げることができる。
【００１４】
前記クッション部材における主部分は弾性復元力を有するゴム、合成樹脂等からなる各種弾性材料で形成することができる。その硬度は本発明物品支持脚で支持しようとする物品の重量、振動や衝撃を嫌う程度等に応じて適当なものとすればよい。
【００１５】
また、クッション部材内の液体収容室に収容される液体も水、オイル等各種のものを採用できるが、主部分の劣化を招きがたく、物品支持脚の使用環境下においても気化しない又は気化しにくい液体を推奨できる。収容液体が気化しやすいと、それにより液体収容室、ひいては主部分の異常変形を招きやすく、それがため物品支持脚による安全な物品支持が困難になる恐れがある。
【００１６】
前記クッション部材における主部分の形態、前記液体収容室の形態とその数や配置状態等は、支持対象物品を所期の状態で支持できるものであれば特に制限はない。
【００１７】
例えばクッション部材の主部分として、筒形状に形成されていて上端部で前記台部材に接続され、小外径部分と大外径部分とを交互に複数段に有しているものを挙げることができる。該大外径部分の存在により物品を安定的に支持するための剛性を得やすく、小外径部分の存在により振動、衝撃等の荷重を吸収するための変形を得やすい。
【００１８】
かかる主部分を採用する場合、前記液体収容室として、前記クッション部材の筒形状の主部分内に環状に形成され、その断面形状が、該主部分における少なくとも一つの小外径部分に対応する主部分半径方向に横長の空間部と該横長空間部に交わり、該横長空間部に対し上下に延びる縦長空間部とを呈する形状であるものを例示できる。かかる液体収容室の断面形状は、物品を安定的に支持しつつも衝撃、振動等の各種荷重を吸収しやすい点で好ましいものの一つである。
【００１９】
前記物品支持脚は、そのクッション部材が物品設置床面等に配置されてもよいが、物品設置床面等に配置する下側台部材を含んでいてもよい。すなわち、前記台部材の下方に下側台部材をさらに設け、前記クッション部材は該上側の台部材と該下側台部材との間に接続してもよい。
【００２０】
該下側台部材はその下端部が弾性材料からなるクッション体で形成されていてもよい。かかるクッション体も弾性復元力を有するゴム、合成樹脂等からなる各種弾性材料で形成することができる。その硬度は支持しようとする物品の重量、振動や衝撃を嫌う程度等に応じて適当なものとすればよい。該クション体の材質は前記クッション部材の主部分の材質と同じでもよい。
【００２１】
本発明に係る物品支持脚は、各種物品（例えば重量物品）や、振動や衝撃を嫌う、例えば大型コンピュータ装置等の精密機器などの支持に利用できる。
【００２２】
【発明の実施の形態】
以下本発明の実施の形態を図面を参照して説明する。
【００２３】
図１は物品支持脚の１例の断面図である。図２は図１に示す物品支持脚の使用例を示す図である。
【００２４】
図示の物品支持脚は、ボルト１、これをスラストベアリング２を介して支持する上側台部材３、その下方の下側台部材５、上下の台部材３、５間に接続されたクッション部材６を含んでいる。ボルト１、スラストベアリング２、上側台部材３及び下側台部材５の後述する上部５１は金属製のものであり、剛性が高い。
【００２５】
ボルト１は、支持対象物品Ｗ（図２参照）に螺合させる雄ねじ棒部分１１、回し具係合部１２及び下方突出軸部１３をこの順序で一体的に形成したものである。
【００２６】
ボルト１の下方突出軸部１３は上側台部材３に貫通せしめられており、上側台部材３に対し回転できる。スラストベアリング２は上側台部材３の頂面の凹所に納められており、このベアリング２にボルト１の回し具係合部１２の下面が当接している。かくしてボルト１はベアリング２に支えられて回転可能の状態にある。ボルト１の下方突出軸部１３の台部材３より下方へ突出した部分には抜け止めリング４が嵌着され、接着剤で固定されている。
【００２７】
回し具係合部１２は、それには限定されないが、本例では平面視輪郭６角形状のものである。
【００２８】
クッション部材６は液体収容室６０を内蔵した主部分６１と該室に収容されたオイル６２を有している。使用オイルは、それには限定されないが、ここではシリコンオイルである。
【００２９】
主部分６１は、それには限定されないが、硬度（ジュロ）が６０〜９０度程度の合成ゴム製のものを例示できる。本例では硬度（ジュロ）が８５度の合成ゴム製のものである。
【００３０】
主部分６１は、全体が筒形状に形成されており、上端部で上側台部材３の小径下段部３１に外嵌係合され、そこに外れないように接続されている。また、下端部で下側台部材５の上部リング部５１に内嵌係合され、そこに外れないように接続されている。
【００３１】
主部分６１は、小外径部分６１１を３段に有するとともに、上下に隣合う小外径部分の間に合計２段の大外径部分６１２を有している。大外径部分６１２は物品Ｗを安定的に支持するための剛性を得るように、小外径部分６１１は振動、衝撃等の荷重を吸収するための変形を得やすいように形成してある。
【００３２】
液体収容室６０は、主部分６１の筒形状に沿って該主部分内に環状に形成されいる。その断面形状は、主部分６１における二つの大外径部分６１２の間の小外径部分６１１に対応する主部分半径方向に横長の空間部６０１と該横長空間部に交わり、該横長空間部に対し上下に延びる縦長空間部６０２とを呈する形状である。
【００３３】
液体収容室６０にはオイル６２が収容されている。室６０にはオイル量よりも少量の若干の空気相ａが残されている。オイル６２の室６０への収容は、例えば、室６０まで主部分６１にニードルを挿入し、該ニードルを介して室内を減圧した後、オイルを注入する等により行える。ニードル挿入部分は後で適当な封止剤等により封止すればよい。また、主部分６１を、例えば液体収容室６０の縦長空間部６０２の頂部付近を通る水平面を境にして上下に分けて成形し、室６０にオイル６２を収容した後、該上下成形部分を接着接合する等してもよい。
【００３４】
下側台部材５は前記の上部リング５１とその小径段部５１１に嵌着したクッション体５２とからなっている。クッション体５２はクッション部材６の主部分６１と同材質のものである。
【００３５】
以上説明した物品支持脚は、ボルト１の雄ねじ棒部分１１が支持対象物品Ｗに予め設けられた支持脚取付け部における雌ねじ部Ｍに螺合されることで物品Ｗに取り付けられ、物品設置床面Ｆ等上に配置されて物品Ｗを支持する。
【００３６】
雄ねじ棒部分１１の物品雌ねじ部Ｍへの螺合の際、必要に応じ、ボルト１の回し具係合部１２に適当な回し具を係合させて該ボルトを回すことができる。また、床面Ｆ等上に置かれたあと、係合部１２に適当な回し具を係合させてボルト１を回すことで物品Ｗの高さ位置調節や水平出しを行える。
【００３７】
この物品支持脚はクッション部材６を有しており、該クッション部材は液体収容室６０を内蔵した主部分６１を有しており、該主部分は弾性材料である合成ゴムで形成されており、液体収容室６０には非圧縮性流体であるオイル６２が収容されている。
【００３８】
従って、クッション部材６は主部分６１の内部に空気等の圧縮性流体のみが収容されている場合と比べるとそれだけ剛性が高く、それだけ物品Ｗを安定的に支持することができる。しかも、主部分６１は弾性材料である合成ゴムで形成されており、且つ、流動可能なオイル６２及び若干の気体が内蔵されているので、物品支持脚を取り付けた物品Ｗを床面Ｆ等上に設置するときに該物品に加わる衝撃荷重や振動荷重、或いは物品を床面等に設置した後、該床面等から物品Ｗに伝わってこようとする衝撃や振動を吸収しやすい。また、物品Ｗによっては該物品から発生する衝撃や振動が床面Ｆ等に伝わることを抑制することができる。
【００３９】
なお、図２中、Ｎはボルト１の雄ねじ棒部分１１に螺合した回り止め用の雌ねじ部であり、ボルト１の物品Ｗに対する位置関係が決定したあと緊締しておくものである。
【００４０】
【発明の効果】
以上説明したように本発明によると、物品を安定的に支持できる程度の剛性を有しつつも衝撃、振動等の各種荷重を吸収しやすい、しかも構造簡単で安価に製作できる物品支持脚を提供することができる。
【図面の簡単な説明】
【図１】本発明に係る物品支持脚の１例の断面図である。
【図２】図１に示す物品支持脚の使用例を示す図である。
【符号の説明】
１  ボルト
１１  雄ねじ棒部分
１２  回し具係合部
１３  下方突出軸部
２  スラストベアリング
３  上側台部材
３１  小径下段部
４  抜け止めリング
５  下側台部材
５１  上部リング部
５１１  小径段部
５２  クッション体
６  クッション部材
６１  主部分
６０  液体収容室
６１１  小外径部分
６１２  大外径部分
６０１  横長空間部
６０２  縦長空間部
６２  オイル
ａ  気相
【図１】
2004156714.tif 000003
【図２】
2004156714.tif 000004